(57)【要約】  【課題】  掛け棒を伸縮自在に形成した鞄用ハンガーにおいて紐を適切に収納することを課題とする。  【解決手段】  鞄用ハンガーにおいて、衣服を掛けるための伸縮可能な棒材よりなる衣服掛け手段と、先端に係合手段を設けた線状体よりなる支持手段と、支持手段を巻き取るリール手段と、リール手段に対して固定される前記係合手段を留めるための被係合手段と、前記衣服掛け手段に設けられる、前記支持手段の途中に掛かり、少なくとも２点以上で前記衣服掛け手段を支持する線状体係合手段とを有する。【選択図】  図１
2006043043.tif 000002
【特許請求の範囲】
【請求項１】
衣服を掛けるための伸縮可能な棒材よりなる衣服掛け手段と、
先端に係合手段を設けた線状体よりなる支持手段と、
支持手段を巻き取るリール手段と、
リール手段に対して固定される前記係合手段を留めるための被係合手段と、
前記衣服掛け手段に設けられる、前記支持手段の途中に掛かり、少なくとも２点以上で前記衣服掛け手段を支持する線状体係合手段と
を有する鞄用ハンガー。
【請求項２】
前記鞄用ハンガーにおいて、さらに、
前記リール体に対して固定される折りたたみ可能に形成されたフックを有する
請求項１に記載の鞄用ハンガー。
【請求項３】
前記被係合手段には、前記係合手段が外れないように施錠する施錠手段が設けられる請求項１又は２に記載の鞄用ハンガー。
【請求項４】
前記リール手段はゼンマイにより前記支持手段を自動的に巻き取る請求項１から３のいずれか１項に記載の鞄用ハンガー。
【発明の詳細な説明】
【技術分野】
【０００１】
本発明は鞄の持ち手に掛けて使用するハンガーに関する。
【背景技術】
【０００２】
従来、鞄に掛けて使用するためのハンガーがいくつか提案されている。中でも特許文献１に示されるハンガーのように掛け棒を伸縮自在に形成したものは、小さく折りたたむことができ持ち運びの観点から大変便利である。
【特許文献１】特許第３３３０３３０号
【発明の開示】
【発明が解決しようとする課題】
【０００３】
しかし、上記特許文献１に示されるような鞄用ハンガーは、掛け棒を吊るすための紐を束ねて収納する必要があり、紐が絡まるなど持ち運びに際して不都合が多い。
そこで、本発明は上記のような問題に鑑みて、掛け棒を伸縮自在に形成した鞄用ハンガーにおいて紐を適切に収納することを課題とする。
【課題を解決するための手段】
【０００４】
上記課題を解決するために、本発明は次のような構成を有する。
請求項１に記載の発明は、衣服を掛けるための伸縮可能な棒材よりなる衣服掛け手段と、先端に係合手段を設けた線状体よりなる支持手段と、支持手段を巻き取るリール手段と、リール手段に対して固定される前記係合手段を留めるための被係合手段と、前記衣服掛け手段に設けられる、前記支持手段の途中に掛かり、少なくとも２点以上で前記衣服掛け手段を支持する線状体係合手段とを有する鞄用ハンガーである。
請求項２に記載の発明は、前記鞄用ハンガーにおいて、さらに、前記リール手段に対して固定される折りたたみ可能に形成されたフックを有するものである。
請求項３に記載の発明は、前記鞄用ハンガーにおいて、前記被係合手段には、前記係合手段が外れないように施錠する施錠手段が設けられるものである。
請求項４に記載の発明は、前記鞄用ハンガーにおいて、前記リール手段はゼンマイにより前記支持手段を自動的に巻き取るものである。
【発明の効果】
【０００５】
請求項１に記載の発明は、リール手段に巻き取られた支持手段を引き出し、衣服掛け手段に設けられる線状体係合手段に引き出した支持手段を掛けて、支持手段の先端に設けられた係合手段をリール手段に対して固定された被係合手段に係合させることで鞄用ハンガーを形成することができる。このような構成により、収納時には支持手段を衣服掛け手段から分離してリールに巻き取り、衣服掛け手段を縮めることで支持手段を絡める心配なくコンパクトに収納ができ、持ち運びが容易になる。
請求項２に記載の発明は、鞄に装着する場合は、前記リール手段に対して固定されたフックを折りたたんでおき、必要に応じてフックを使用可能な状態とすることで、必要に応じて本鞄用ハンガーを壁に設けられた掛け金具などに掛けることができる。
請求項３に記載の発明は、衣服掛け手段と支持手段を分離した状態において、リール手段と支持手段と被係合手段とによりキーチェーンとして使用することが可能となる。
請求項４に記載の発明は、前記支持手段が自動的に前記リール手段に巻き取られるので、簡易かつ迅速に支持手段を収納することができる。
【発明を実施するための最良の形態】
【０００６】
以下、本発明の実施の形態について、図面を参照しながら説明する。
図１に本発明の形態に係る鞄用ハンガーXの斜視図を示す。鞄用ハンガーXは衣服を掛けるための伸縮可能な棒材よりなる衣服掛け部１と、先端に係合部２ａを設けた線状体よりなる支持ワイヤ２と、支持手段を巻き取るリール３と、リール３に対して固定される前記係合部２ａを留めるための被係合部４、前記衣服掛け部１に設けられる、前記支持ワイヤ２の途中に掛かり、少なくとも２点以上で前記衣服掛け部１を支持する線状体係合部５と、前記リール３および被係合部４を内蔵する合成樹脂製のケーシング６とを有する。
衣服掛け部１は、中空の径の異なるほぼ同じ長さの３本の合成樹脂性パイプから構成され、一番大きなパイプの内径は２番目に大きなパイプの外径とほぼ一致し、２番目に大きなパイプの内径は一番小さなパイプの外径にほぼ一致し、これらが互いに入れ子に組み合わさることで伸縮自在に形成されている。また、係合する二つのパイプの大きい側の内面には長手方向に溝が切ってあり、この溝は端部近傍で直角に曲がっている。そして、これに係合する小さい側のパイプの端部外周面にはこの溝に係合する突起が設けられており、係合する２つのパイプはこの溝と突起により規制され、伸びた状態で突起が直角に曲がった溝に入るようにパイプを回転させると位置が固定できるようになっている。さらに、各パイプの外表面にはゴムが薄く塗布され衣服が滑らないようになっている。
支持ワイヤ２はステンレス線を撚って紐状にしたものであり、この先端に固定される係合部２ａは円筒体の中間に係合するための溝２ａａが設けられている。
線状体係合部５は鉄線を三角状に折り曲げたもので、前記衣服掛け部１の両端に固定される。この際、それぞれの線状体係合部５の三角の頂点は前記衣服掛け部１を伸ばして固定した状態において同じ方向を向くように設定されている。そして、頂点の真下に位置する衣服掛け部１と線状体係合部５との隙間の幅は、前記支持ワイヤ２の太さとほぼ一致するようになっている。すなわち、両線状体係合部５の間に支持ワイヤ２を通すと支持ワイヤ２はほぼ衣服掛け部１の外周面に触れることになる。これにより、衣服を衣服掛け部１に掛ける際に、支持ワイヤ２の下に挟むことで衣服のずれ落ちを防止することができる。また、線状体係合部５は、衣服掛け部１の端部に回動可能に支持されている。
【０００７】
図２にケーシング６の内部構造を模式的に表す断面図を示す。リール３は円筒体３ａの両端面に鍔３ｂを有するものであり、ケーシングに回動自在に支持されており、前記支持ワイヤ２を巻き取っている。また、円筒体の内面には中心をケーシングに固定され外側の端部を円筒体３ａに固定されたゼンマイ３ｃが設けられている。このゼンマイ３ｃは前記支持ワイヤが引き出されるとこれを巻き取るように働く。さらに、リール３の鍔３ｂの外周には凹凸が設けられており、これがケーシング６に固定される、支点６ａｂを中心にシーソー運動をするボタン６ａに設けられた突起６ａａにより係止するようになっている。ボタン６ａは板バネ６ａｃにより、通常は突起６ａａが鍔３ｂを係止する位置にあり、ボタン６ａを押すとこの係止が解除されるようになっている。
被係合部４は、前記係合部２ａに設けられた溝２ａａの幅よりもやや薄い鉄板に係合部２ａの外径とほぼ同じ大きさの穴である係合穴４ａａが設けられた鉄板４ａと４ａと一体に形成された、３つの突起を有する棒材４ｂ、ケーシング６の外部から鉄板４ａをスライドさせるためのボタン４ｅ、ケーシングに設けられる前記係合穴４ａａと平行な筒状の穴である位置決め穴４ｆ、棒材４ｂをボタン４ｅ側へ押す圧縮バネ４ｄ、棒材４ｂの突起とともにダイヤル錠を構成する３つの０から９の番号が表記されたドラム群４ｃよりなる。位置決め穴４ｆと係合穴４ａａはダイヤル錠が施錠していない状態において圧縮バネ４ｄに押されて丁度重なるようになっており、この状態で係合部２ａを挿入することができる。この状態で、ボタン４ｅを押すと係合穴４ａａがずれて係合部２ａの溝２ａａに鉄板４ａが係合する。この状態でドラム群４ｃを回すと施錠され、係合状態で固定することができる。逆に施錠を解放すると圧縮バネ４ｄによって係合穴４は元の位置に戻り係合部２ａを位置決め穴４ｆから抜き取ることができる。
ケーシング６にはフック６ｂが収まる穴が形成されており、この穴にフック６ｂが収められるととともに、図の想像線に示すように上方に回動するようにケーシング６に固定されている。また、フックの根元はボールジョイントにより接続され、フックは水平方向に自在に回動できるようになっている。
【０００８】
次に、以上のような構成を有する鞄用ハンガーＸの使用方法を説明する。持ち運びの際は、図３に示すように、衣服掛け部１と支持ワイヤ２とを分離した状態で、衣服賭け部１を縮め、支持ワイヤー２をリール３に巻き取った状態にする。使用する際は、衣服掛け部１を伸ばして固定する。次に、ボタン６ａを押してリールを回動可能として支持ワイヤー２を十分引き出しボタン６ａを離す。そして、引き出した支持ワイヤー２の先端を、２つの線状体係合部５の外側に支持ワイヤー２が掛かるように通す。それから、位置決め穴４ｆに支持ワイヤー２の先端部に設けられる係合部２ａを入れ、ボタン４ｅを押して係合部２ａの溝２ａａと被係合部４の係合穴４ａａとを係合させる。なお、この際にドラム群４ｃの回動位置が開錠状態にない場合は、最初に開錠状態としておく必要がある。この状態で、ドラム群４ｃを回して施錠状態とすることで係合部２ａと被係合部４とは係合状態で固定される。これで、鞄用ハンガーの形状が完成するので、図４の側面図に示すように鞄の持ち手に掛けて鞄用ハンガーとして使用する。
なお、ハンガーの形状となったときに、フック６ｂを回動させて上方に位置させることで鞄に掛けずに壁面の突起などに掛けて通常のハンガーとして使用することもできる。さらに、衣服賭け部１を分離した状態で、支持ワイヤー２を使って、柱などの固定物とかばんの持ち手等を連結して係合部２ａと被係合部４とを係合させて施錠することでキーチェーンとして使用することも可能である。
また、上記の実施の形態では、線状体係合部５として衣服掛け部１の両端に設けた鉄線を折り曲げた物を使用したが、この代わりに、衣服掛け部１の中空の内部を線状体係合部５として使用することもできる。この場合は、伸ばした状態の衣服掛け部１の両端の同じ方向に支持ワイヤ２の引っ掛かる切り欠きを設け、衣服掛け部１が回転しないようにすることが望ましい。
【図面の簡単な説明】
【０００９】
【図１】鞄用ハンガーの斜視図である。
【図２】鞄用ハンガーのケーシング内の構造を模式的に示す断面図である。
【図３】鞄用ハンガーの折りたたんだ状態を示す斜視図である。
【図４】鞄用ハンガーの使用状態を示す側面図である。
【符号の説明】
【００１０】
X    鞄用ハンガー
１    被服掛け部
２    支持ワイヤー
２ａ  係合部
３    リール
３ｃ  ゼンマイ
４    被係合部
４ｂ  ドラム群
５    線状体係合部
６    ケーシング
６ｂ  フック
【図１】
2006043043.tif 000003
【図２】
2006043043.tif 000004
【図３】
2006043043.tif 000005
【図４】
2006043043.tif 000006